(57)【要約】【課題】地域によって受信可能帯域のみをシーク対象とすることによりシーク時間の短縮化を図る。【解決手段】復数種の帯域を持ったＤＡＢ信号を受信し、このＤＡＢ信号の中からＳＩｄを検出するＤＡＢ受信部３と、所定地域とその地域で受信可能な帯域とを対応させたテーブルを格納したメモリ５と、前記ＤＡＢ受信部３で検出したＳＩｄに基づいて前記メモリ５から現在受信中の地域での受信可能帯域を読取ってその受信可能帯域のみをシーク対象とする制御部とを備えたものである。【選択図】　　　　図１
2004072616.tif 000002
【特許請求の範囲】
【請求項１】
複数種の帯域を持ったＤＡＢ信号を受信し、このＤＡＢ信号の中からＳＩｄを検出するＤＡＢ受信部と、所定地域とその地域で受信可能な帯域とを対応させたテーブルを格納したメモリと、前記ＤＡＢ受信部で検出したＳＩｄに基づいて前記メモリから現在受信中の地域での受信可能帯域を読取ってその受信可能帯域のみをシーク対象とする制御部とを備えたデジタル放送受信装置におけるＤＡＢ信号検出装置。
【請求項２】
前記複数種の帯域はＬ−ＢＡＮＤとＢＡＮＤＩＩＩであり、Ｌ−ＢＡＮＤ受信可能地域ではＬ−ＢＡＮＤのみ、ＢＡＮＤＩＩＩ受信可能地域ではＢＡＮＤＩＩＩのみを各々シーク対象とする請求項１記載のデジタル放送受信装置におけるＤＡＢ信号検出装置。
【請求項３】
Ｌ−ＢＡＮＤおよびＢＡＮＤＩＩＩの両者の受信可能地域ではＬ−ＢＡＮＤおよびＢＡＮＤＩＩＩをシーク対象とする請求項２記載のデジタル放送受信装置におけるＤＡＢ信号検出装置。
【請求項４】
Ｌ−ＢＡＮＤとＢＡＮＤＩＩＩの帯域を持ったＤＡＢ信号をＤＡＢ受信部で受信して復調し、復調したＤＡＢ信号の中からＳＩｄを検出して該ＳＩｄに基づいて現在の受信地域を判断し、判断した地域を地域情報とし、この地域情報をもとに格納しているテーブルから該地域での受信可能帯域を読取り、その地域がＬ−ＢＡＮＤ受信可能地域であるかＢＡＮＤＩＩＩ受信可能地域であるかを判断し、Ｌ−ＢＡＮＤ受信可能地域であればＬ−ＢＡＮＤのみを、ＢＡＮＤＩＩＩ受信可能地域であればＢＡＮＤＩＩＩのみをシーク対象としてシークを実行することを特徴とするデジタル放送受信装置におけるＤＡＢ信号検出方法。
【発明の詳細な説明】
【０００１】
【発明の属する技術分野】
この発明は、デジタル放送受信装置におけるＤＡＢ信号検出装置に関し、特にＬ−ＢＡＮＤとＢＡＮＤＩＩＩの２つの帯域が存在するＤＡＢ（ＤｉｇｉｔａｌＡｕｄｉｏ　Ｂｒｏａｄｃａｓｔｉｎｇ）信号をシークして中心周波数をサーチするＤＡＢ信号検出装置およびＤＡＢ信号検出方法に関する。
【０００２】
【従来の技術】
図６は、従来の一般的なデジタル放送受信装置におけるＤＡＢ信号検出装置を示す。
同図において、１０１はＤＡＢ信号のＬ−ＢＡＮＤ受信アンテナ、１０２はＤＡＢ信号のＢＡＮＤＩＩＩ受信アンテナ、１０３はＤＡＢ受信部、１０４は制御部である。
【０００３】
ＤＡＢ受信部１０３はＬ−ＢＡＮＤ受信アンテナ１０１およびＢＡＮＤＩＩＩ受信アンテナ１０２から受信したＤＡＢ信号を復調し、この中からサービスＩｄ（以下、ＳＩｄ）を検出する。制御部１０４はＳＩｄをＤＡＢ受信部１０３から受取った後、ＤＡＢ受信用制御信号をＤＡＢ受信部１０３に出力する。
【０００４】
また、特開平９−１８６５５６号公報には、ＤＡＢ信号が配置される可能性がある周波数範囲の全てについて１６ＫＨｚ毎にシークすることにより、ＤＡＢ信号の中心周波数をサーチする場合よりも、ＤＡＢ信号が存在する周波数を検出するまでに必要な時間を短くすることができる技術が開示されている。
【０００５】
【発明が解決しようとする課題】
しかしながら、上記のような従来の技術は以下のような問題があった。
一般にＤＡＢはＬ−ＢＡＮＤとＢＡＮＤＩＩＩから構成されている。そして、地域（国を含む、以下同じ）によって、Ｌ−ＢＡＮＤが受信可能でＢＡＮＤＩＩＩが受信不可能の地域、逆にＢＡＮＤＩＩＩが受信可能でＬ−ＢＡＮＤは受信不可能の地域、および両者とも受信可能の地域に分かれる。上記した従来技術では、シークの際どの地域においても同じようにＬ−ＢＡＮＤおよびＢＡＮＤＩＩＩの両帯域をシーク対象として実施していた。すなわち、Ｌ−ＢＡＮＤの受信不可能地域あるいはＢＡＮＤＩＩＩの受信不可能地域でも両帯域をシークするため無駄なシーク時間が発生するという課題があった。なお、Ｌ−ＢＡＮＤは１４５２〜１４９２ＭＨｚ（ＵＨＦ帯）、ＢＡＮＤＩＩＩは１７４〜２４０ＭＨｚ（ＶＨＦ帯）の帯域を示しており、以下の用途で使い分けられている。
すなわち、Ｌ−ＢＡＮＤは局部的な地域放送に利用され、ＢＡＮＤＩＩＩはネットワークを組んでの国放送に利用されることが多い。
【０００６】
この発明は、上記のような課題を解決するためになされたもので、地域によって受信可能帯域のみをシーク対象とすることによりシーク時間の短縮化を図ったデジタル放送受信装置におけるＤＡＢ信号検出装置を提供することを目的とする。
【０００７】
【課題を解決するための手段】
この発明に係るデジタル放送受信装置におけるＤＡＢ信号検出装置は、所定地域とその地域で受信可能な帯域とを対応させたテーブルを格納したメモリと、ＤＡＢ受信部で検出したＳＩｄに基づいて前記メモリから現在受信中の地域での受信可能帯域を読取ってその受信可能帯域のみをシーク対象とする制御部とを備えたものである。
【０００８】
この発明に係るデジタル放送受信装置におけるＤＡＢ信号検出装置は、前記複数種の帯域はＬ−ＢＡＮＤとＢＡＮＤＩＩＩであり、Ｌ−ＢＡＮＤ受信可能地域ではＬ−ＢＡＮＤのみ、ＢＡＮＤＩＩＩ受信可能地域ではＢＡＮＤＩＩＩのみを各々シーク対象とするものである。
【０００９】
この発明に係るデジタル放送受信装置におけるＤＡＢ信号検出装置は、Ｌ−ＢＡＮＤおよびＢＡＮＤＩＩＩの両者の受信可能地域ではＬ−ＢＡＮＤおよびＢＡＮＤＩＩＩをシーク対象とするものである。
【００１０】
この発明に係るデジタル放送受信装置におけるＤＡＢ信号検出方法は、ＳＩｄに基づいて現在の受信地域を判断し、判断した地域を地域情報とし、この地域情報をもとに格納しているテーブルから該地域での受信可能帯域を読取り、その地域がＬ−ＢＡＮＤ受信可能地域であるかＢＡＮＤＩＩＩ受信可能地域であるかを判断し、Ｌ−ＢＡＮＤ受信可能地域であればＬ−ＢＡＮＤのみを、ＢＡＮＤＩＩＩ受信可能地域であればＢＡＮＤＩＩＩのみをシーク対象としてシークを実行するものである。
【００１１】
【発明の実施の形態】
以下、この発明の実施の一形態を説明する。
実施の形態１．
図１は、この発明のデジタル放送受信装置におけるＤＡＢ信号検出装置の構成を示すブロック図である。
同図において、１はＤＡＢ信号のＬ−ＢＡＮＤ受信アンテナ、２はＤＡＢ信号のＢＡＮＤＩＩＩ受信アンテナ、３はＤＡＢ受信部、４は制御部、５はメモリである。
【００１２】
ＤＡＢ受信部３はＬ−ＢＡＮＤ受信アンテナ１およびＢＡＮＤＩＩＩ受信アンテナ２から受信したＤＡＢ信号を復調し、この中からサービスＩｄ（以下、ＳＩｄ）を検出する。
図２は、ＤＡＢ信号に含まれるサービス構成リストの一例であって、リストナンバー６、１６ビットのＳＩｄ７、１ビットのローカルフラグ８、３ビットのＣＡＩｄ９、４ビットのコンポーネントナンバー１０、１６ビットのサービスコンポーネント種目１１等で構成されている。ＳＩｄ７は４ビットの国別Ｉｄ７ａと１２ビットのサービスリファレンス７ｂとで構成されている。
【００１３】
制御部４はＳＩｄ７をＤＡＢ受信部３から受取った後、ＤＡＢ受信用制御信号をＤＡＢ受信部３に出力する。これにより、ＤＡＢ受信部３にＤＡＢ信号を受信させてＳＩｄを取り込み、取り込んだＳＩｄに応じた地域に対応する受信可能地域情報をメモリ５から取り込むものである。
【００１４】
図３は、前記メモリ５が記憶しているテーブルの一例を示している。この例では、地域１３、ＳＩｄ１４、受信可能帯域１５を有している。そして、地域１３としてはＡ国、Ｂ国、Ｃ国の３国であり、Ａ国においては受信可能帯域１５はＬ−ＢＡＮＤであり、Ｂ国においては受信可能帯域１５はＢＡＮＤＩＩＩであり、Ｃ国においては受信可能帯域１５はＬ−ＢＡＮＤとＢＡＮＤＩＩＩの両帯域であることを示している。
【００１５】
次に、図４のフローチャートにより動作について説明する。
Ｌ−ＢＡＮＤアンテナ１およびＢＡＮＤＩＩＩアンテナ２よりＤＡＢ受信部３がＤＡＢ信号を受信し、このＤＡＢ受信部３がＳＩｄを検出する（ステップＳＴ１）。これにより得られたＳＩｄに基づいて制御部４が現在の受信地域（国）を判断する（ステップＳＴ２）。
【００１６】
さらに制御部４は、判断した地域を地域情報としてメモリ５に送る。メモリ５はこの地域情報をもとに格納しているテーブル（図３参照）からその地域での受信可能帯域を読取る（ステップＳＴ３）。そして、その帯域がＬ−ＢＡＮＤ受信可能帯域か否かを判断し（ステップＳＴ４）、Ｌ−ＢＡＮＤ受信可能帯域であればＢＡＮＤＩＩＩも受信可能帯域か否かを判断し（ステップＳＴ８）、ＢＡＮＤＩＩＩも受信可能帯域であればＬ−ＢＡＮＤとＢＡＮＤＩＩＩの両帯域をシーク対象とする（ステップＳＴ１１）。
【００１７】
ＳＩｄの変更があるか否かを判断し（ステップＳＴ１２）、ＳＩｄの変更があればステップＳＴ１に戻り、新たなＳＩｄに基づいて制御部４が現在の受信地域（国）を判断する（ステップＳＴ２）。ＳＩｄの変更がなければステップＳＴ１１に戻り、現状同様にＬ−ＢＡＮＤとＢＡＮＤＩＩＩの両帯域をシーク対象とする（ステップＳＴ１１）。
【００１８】
ステップＳＴ８でＢＡＮＤＩＩＩの受信可能帯域でないと判断した場合は、Ｌ−ＢＡＮＤのみをシーク対象とする（ステップＳＴ９）。ＳＩｄの変更があるか否かを判断し（ステップＳＴ１０）、ＳＩｄの変更があればステップＳＴ１に戻り、新たなＳＩｄに基づいて制御部４が現在の受信地域（国）を判断する（ステップＳＴ２）。ＳＩｄの変更がなければステップＳＴ９に戻り、現状同様にＬ−ＢＡＮＤのみをシーク対象とする（ステップＳＴ９）。
【００１９】
ステップＳＴ４でＬ−ＢＡＮＤ受信可能帯域でないと判断すれば、ＢＡＮＤＩＩＩの受信可能帯域か否かを判断し（ステップＳＴ５）、ＢＡＮＤＩＩＩ受信可能帯域であればＢＡＮＤＩＩＩのみをシーク対象とする（ステップＳＴ６）。ＳＩｄの変更があるか否かを判断し（ステップＳＴ７）、ＳＩｄの変更があればステップＳＴ１に戻り、新たなＳＩｄに基づいて制御部４が現在の受信地域（国）を判断する（ステップＳＴ２）。ＳＩｄの変更がなければステップＳＴ６に戻り、現状同様にＢＡＮＤＩＩＩのみをシーク対象とする（ステップＳＴ６）。
【００２０】
以上のようにして、ＳＩｄにより受信可能帯域を判断し、その受信可能帯域のみをシークすることにより、受信不可能帯域の処理が省けるためその時間だけＤＡＢ信号の周波数をシークする時間が短縮される。
図５はシーク対象領域とシーク対象外領域の具体例である。ここではＤＡＢで使用される周波数範囲を１７４ＭＨｚ〜２４０ＭＨｚ（ＢＡＮＤＩＩＩ：２４０−１７４＝６６ＭＨｚの周波数範囲）、および１４５２ＭＨｚ〜１４９２ＭＨｚ（Ｌ−ＢＡＮＤ：１４９２−１４５２＝４０ＭＨｚの周波数範囲）とする。
【００２１】
図５（ａ）は比較のために示した従来例であって、ＢＡＮＤＩＩＩ、Ｌ−ＢＡＮＤの全てがシーク対象領域であるため、６６ＭＨｚ＋４０ＭＨｚ＝１０６ＭＨｚの周波数範囲がシーク対象領域となる。
【００２２】
これに対して本実施の形態では、図５（ｂ）に示すＬ−ＢＡＮＤ受信可能地域においては、Ｌ−ＢＡＮＤのみをシーク対象領域とし、ＢＡＮＤＩＩＩはシーク対象外（斜線で示す）とすることができる。また、図５（ｃ）に示すＢＡＮＤＩＩＩ受信可能地域においては、ＢＡＮＤＩＩＩのみをシーク対象領域とし、Ｌ−ＢＡＮＤはシーク対象外（斜線で示す）とすることができる。なお、図５（ｄ）に示すＬ−ＢＡＮＤとＢＡＮＤＩＩＩの両者が受信可能の地域においてのみ従来と同様両者をシーク対象領域とする。
【００２３】
以上のように、この実施の形態によれば、Ｌ−ＢＡＮＤまたはＢＡＮＤＩＩＩのいずれかをシーク対象とし、他方をシーク対象外とすることにより、シークに必要な時間を短縮できる。
【００２４】
【発明の効果】
以上のように、この発明によれば、所定地域と、その地域で受信可能な帯域とを対応させたテーブルを格納したメモリが設けられ、このテーブルから現在受信中の地域での受信可能帯域を読取ってその受信可能帯域のみをシーク対象とするように構成したので、受信不可能帯域はシーク対象外となり、シークに必要な時間を短縮できるという効果がある。
【００２５】
この発明によれば、Ｌ−ＢＡＮＤ受信可能帯域ではＬ−ＢＡＮＤのみ、ＢＡＮＤＩＩＩ受信可能帯域ではＢＡＮＤＩＩＩのみを各々シーク対象とするので、Ｌ−ＢＡＮＤとＢＡＮＤＩＩＩの２つの帯域が存在するＤＡＢ信号のシークに必要な時間を短縮できるという効果がある。
【００２６】
この発明によれば、Ｌ−ＢＡＮＤおよびＢＡＮＤＩＩＩの両者の受信可能帯域ではＬ−ＢＡＮＤおよびＢＡＮＤＩＩＩをシーク対象とするので、従来と同様両帯域のシークが可能であるという効果がある。
【図面の簡単な説明】
【図１】この発明のデジタル放送受信装置におけるＤＡＢ信号検出装置の実施の形態を示すブロック図である。
【図２】ＤＡＢ信号に含まれるサービス構成リストの一例である。
【図３】メモリに格納するテーブルの一例である。
【図４】動作を説明するフローチャートである。
【図５】シーク対象領域とシーク対象外領域の具体例である。
【図６】従来のデジタル放送受信装置におけるＤＡＢ信号検出装置のブロック図である。
【符号の説明】
１　Ｌ−ＢＡＮＤ受信アンテナ、２　ＢＡＮＤＩＩＩ受信アンテナ、３　ＤＡＢ受信部、４　制御部、５　メモリ。
【図１】
2004072616.tif 000003
【図２】
2004072616.tif 000004
【図３】
2004072616.tif 000005
【図４】
2004072616.tif 000006
【図５】
2004072616.tif 000007
【図６】
2004072616.tif 000008